(57)【要約】【課題】書面に垂直方向に対して傾斜した光路で受光することで、書面の走査位置またはその直前（直後）を常に目視可能とする。【解決手段】  要監視者の住宅に設置されてＴＶ放送を受信するＴＶ装置と、該ＴＶ装置に接続されたモニター用コントローラと、前記ＴＶ装置を操作するリモートコントローラとからなり、前記モニター用コントローラには、前記リモートコントローラの受信機能と、受信履歴を記録するメモリーと、遠隔地の監視者の通信端末と通信回線で接続される通信装置と、ＴＶ装置の制御および人感センサーの制御を行う判定制御部とを有していることを特徴とする。【選択図】図１
2018147057.tif 000002
【特許請求の範囲】
【請求項１】
要監視者の住宅に設置されてＴＶ放送を受信するＴＶ装置と、
該ＴＶ装置に接続されたモニター用コントローラと、
前記ＴＶ装置を操作するリモートコントローラとからなり、
前記モニター用コントローラには、前記リモートコントローラの受信機能と、該受信機能の受信内容と受信日時の履歴を記録するメモリーと、遠隔地の監視者の通信端末と通信回線で接続される通信装置と、ＴＶ装置の制御および人感センサーの制御を行う判定制御部とを有し、
該判定制御部は、前記リモートコントローラの操作履歴を基に人感センサーの作動を制御する制御機能部と、人感センサーの検出結果を監視者の通信端末に通知する通信機能部と、要監視者の通信端末からの入力信号をＴＶ装置またはモニター用コントローラに接続されたスピーカーで再生する再生機能部とを有していることを特徴とする生活反応モニター装置。
【請求項２】
リモートコントローラに設けられて、モニター用コントローラの通信装置を介して監視者の通信端末と接続するための呼び出し装置ボタンと、要監視者の音声を入力し前記通信端末に音声信号を送信するためのマイク機能とが備えられていることを特徴とする請求項１に記載の生活反応モニター装置。
【発明の詳細な説明】
【技術分野】
【０００１】
本発明は、独居住人の安否を容易に検知すると共に、随時連絡を取ることができる生活反応モニター装置に関するものである。
【背景技術】
【０００２】
従来のこの種の生活反応モニター装置としては、例えば、特許第３８７６０８３号（特開２０００−１３８７６１号）の生活反応モニターシステムでは、「家庭内に配置した電気製品の操作状況を家庭外に送信し、その家庭の生活状況を家庭外監視する生活反応モニターシステムにおいて、
ケーシングの内部に、電話回線と電話機とを分岐接続する分岐接続器と、前記分岐接続器を介して前記電話回線の交換機側から着信時に通知される発信者電話番号を受信して出力するモデムと、監視家庭の電話番号を記憶した監視家庭記憶メモリーと、前記ケーシングから露出するように設けられた安否レベルを表示する表示部と、前記モデムから入力された発信者電話番号が前記監視家庭記憶メモリーに記憶された電話番号と一致するか否かを識別し、一致すると前記モデムを介して電話回線を自動接続して各家庭の情報を受信し、受信した操作状況に基づいて前記表示部を表示させるマイコンを特徴とする構成からなっている。
上記構成では、電気製品の操作状況の情報を家庭外に送信することで、居住者の生活をモニターしているが、電気製品の操作がペットや衝撃による誤操作である場合に、それが居住者の活動でないと判定するのは困難であった。
一方、特許第５２０８２２６号（特開２０１２−１５９９３２号）では、室内にユーザが出入りしたことを表す出入信号及び前記出入信号の取得時刻と、前記室内で使用されている複数の機器に電力を供給する電力線の電流又は電圧の計測値を表す計測値信号と、を取得する信号取得手段と、前記信号取得手段で取得された計測値信号に基づいて、前記複数の機器の動作を特定する動作特定手段と、前記動作特定手段で特定された複数の機器のそれぞれの動作が、前記取得時刻からそれぞれどれだけ継続しているかを表す複数の継続時間と、前記信号取得手段で出入信号が取得された取得時刻と、に基づいて、前記ユーザが前記室内に入室した入室イベントの発生を検出するイベント検出手段と、前記イベント検出手段により入室イベントの発生が検出された後に、前記動作特定手段で特定された前記複数の機器の動作の組合せに基づいて、前記ユーザの生活シーンが、前記ユーザが睡眠中である睡眠シーン若しくは前記ユーザの健康状態に異常が生じている異常シーンのいずれかのシーンであるか、前記睡眠シーン及び前記異常シーンのいずれでもないシーンか、を特定する生活シーン特定手段と、を備え、
前記生活シーン特定手段は、前記睡眠シーン若しくは前記異常シーンのいずれかのシーンであると前記ユーザの生活シーンを特定すると、前記動作特定手段で特定された前記複数の機器の動作の内で最後に変化した動作の動作変化時刻から、前記生活シーンが前記睡眠シーンであるか否かを判別するために用いられる異常判別時間以上の時間に亘って、前記複数の機器のそれぞれの動作が継続した場合に、前記ユーザの生活シーンを前記異常シーンであると特定し、前記複数の機器の動作のいずれか１つ以上が前記動作変化時刻から前記異常判別時間経過するより前に変化した場合に、前記ユーザの生活シーンを前記睡眠シーンであると特定する構成が開示されている。
上記構成では、生活シーンと、異常シーンと、睡眠シーンとに判別しているが、居住者からの緊急時における観察者の連絡や、観察者から居住者に対する連絡は含まれていなかった。
【先行技術文献】
【特許文献】
【０００３】
【特許文献１】特開２０００−１３８７６１号公報
【特許文献２】特開２０１２−１５９９３２号公報
【発明の概要】
【発明が解決しようとする課題】
【０００４】
解決しようとする問題点は、高精細な図を手送りで走査入力する操作において障害となる入力位置を目視確認できない点である。
【課題を解決するための手段】
【０００５】
本発明は、要監視者の住宅に設置されてＴＶ放送を受信するＴＶ装置と、
該ＴＶ装置に接続されたモニター用コントローラと、
前記ＴＶ装置を操作するリモートコントローラとからなり、
前記モニター用コントローラには、前記リモートコントローラの受信機能と、該受信機能の受信内容と受信日時の履歴を記録するメモリーと、遠隔地の監視者の通信端末と通信回線で接続される通信装置と、ＴＶ装置の制御および人感センサーの制御を行う判定制御部とを有し、
該判定制御部は、前記リモートコントローラの操作履歴を基に人感センサーの作動を制御する制御機能部と、人感センサーの検出結果を監視者の通信端末に通知する通信機能部と、要監視者の通信端末からの入力信号をＴＶ装置で再生する再生機能部とを有していることを特徴とする。
前記リモートコントローラには、モニター用コントローラの通信装置を介して監視者の通信端末と接続するための呼び出し装置ボタンと、要監視者の音声を入力し前記通信端末に音声信号を送信するためのマイク機能とが備えていてもよい。
【発明の効果】
【０００６】
本発明の生活反応モニター装置では、ＴＶ装置２の操作の有無から監視者の活動の有無を検出し、一定時間操作が行われない場合には、人感センサーを作動させて室内の人の動きや気配の有無を検出し、人の動きや気配が検出されない場合には、監視者の通信端末に注意信号が送信され、監視者により直接に、要監視者の安否を音声などで確認することができる。
また、要監視者と連絡が取れない場合には、見回り監視者に通知が送られ、見回り監視者が直接に要監視者の住宅まで行って安否の確認を行うことができる。
上記手順は、要監視者の判断で一部をスキップして行ってもよい。
これによって、通常はＴＶ装置へのリモコンの操作の有無だけを行い、注意が必要な場合には人感センサーが作動し、更には要監視者の通信端末と回線をつないで、音声で連絡をとりあうことができるので、要監視者の通常の生活の邪魔になることなく、異常時にのみより正確なモニターを行うことができるので、監視者および要監視者の双方にとって大きな負担をかけることがない。
【図面の簡単な説明】
【０００７】
【図１】実施例１の生活反応モニター装置のブロック図である。
【図２】（ａ）は生活反応モニター装置の作動手順を示すフローチャート、（ｂ）はリモコンの操作記録と人感センサーの作動を並行して行うでフローチャートである。
【図３】実施例２の生活反応モニター装置のブロック図である。
【発明を実施するための形態】
【０００８】
この発明の生活反応モニター装置は、ＴＶを操作するリモコンの操作状況を基に、独居者の生活状態をモニターすると共に、緊急時には、独居者側からも、監視者側からもダイレクトに連絡を取ることができるようにして確実なモニターを実現した。
【実施例１】
【０００９】
図１に示す本実施例の生活反応モニター装置１は、ＴＶ放送を受信してディスプレイに表示するＴＶ機能と、これに切替可能に映像が入力されるハードディスクやレコーダーや、プレーヤからなるＴＶ接続機器などを有するＴＶ装置２を、要監視者の家に設置している。
【００１０】
上記ＴＶ装置２は、モニター用コントローラ２Ａと接続されている。
該モニター用コントローラ２Ａは、前記ＴＶ装置２を操作するリモートコントローラ（以下「リモコン」という。）３の受信機能４と、監視者の通信端末１１とインターネットや携帯電話、固定電話の電話回線ネットワークで接続可能な通信装置７と、ＴＶ装置２の制御や後述の人感センサー８の制御を行う判定制御部５とを有している。
【００１１】
即ち、モニター用コントローラ２Ａは、前述のように、要監視者が使用するリモコン３によるＯＮ−ＯＦＦ操作や、チャンネル変更、接続機器の変更などの操作信号を受信する受信機能４と、受信信号の種類と受信時間を記録するメモリーＭと、受信状態を基に監視者の安否を判定する判定手段を備えた判定制御部５と、監視者の通信端末１１と接続して通信可能な通信装置７が設けられている。
なお、リモコン３には、後述の呼び出し装置ボタン３１と、音声入力用のマイク機能３２が設けられている。
【００１２】
前記判定制御部５では、メモリーＭに記録されたリモコン３からの受信信号の種類と受信時間の履歴を基に、以下の判定を行う。
ＴＶ装置２の電源スイッチがリモコン３から入力されると、受信信号の種類と受信時間が記録される。
次の操作が行われると、次の受信信号の種類と受信時間が記録される。
そこで、前記２つの受信信号の間隔を受信時間を基に算出し、それが予め設定した基準時間の範囲内であれば、正常と判定する。
【００１３】
また、受信信号の種類が、ＴＶ視聴にありえない信号の種類、例えば、映像が放送されていないチャンネルの指定とか、爆音や消音に近い音量への変更とか、接続されていない接続機器への切替の指定などである異常視聴の場合には、一定の基準訂正時間の範囲内で、正常視聴となるリモコン３の操作が行われたか否か判定する。
【００１４】
異常視聴が基準訂正時間を超えて続行する場合、あるいはリモコン３の操作が基準時間を超えて無いと判定した場合には、判定制御部５は要注意と判定し、要注意信号を、通信装置７を介して要注意信号を要監視者の通信端末１１に送信する。
上記判定に際しては、時計機能における現在時刻も判定条件に含めることが好ましく、夜間や未明であれば、要監視者が就寝中であって、ＴＶ装置２を切り忘れた可能性があるので、要注意判定を行わなくてよい。
【００１５】
ＴＶ装置２の電源が入っている場合で、要注意と判定された場合には、判定制御部５は、ＴＶ装置２に接続された人感センサー８を作動させる。
人感センサー８は、例えば、ＴＶを視聴可能な範囲における明るさを感知し、明るさの変化を検出する手段、臭いの変化を検知する臭い検出手段、音声を集音する手段、室内の映像を撮影する手段、赤外線などの光線を発受光して人の動きを検出する手段、その他の人の動きの有無を検出するセンサーの全部または一部からなっており、ＴＶ装置２のある室内の環境の変化をモニターして判定制御部５にフィードバックし、その変化が人の動きにあると判定すると、判定制御部５は通信装置７を介して要監視者の通信端末１１へ送信する。
【００１６】
次に、モニター用コントローラ２Ａの通信手段７は、前述のようにＴＶ装置２と監視者の通信端末１１との間で通信するだけでなく、監視者と要監視者との間で通信することもできる。
即ち、要監視者は、通信端末１１から所定のボタン（図示せず）またはモニター用コントローラ２Ａ用の番号を入力することで、ＴＶ装置２側の通信装置７と接続され、判定制御部５を介して、通信端末１１からの音声や画像、動画などをＴＶ装置２のディスプレイＤやスピーカーＳを介して要監視者に通知することができる。
【００１７】
上記通信が行われる場合は、ＴＶ番組からの音声はミュート、または消音され、前記通信端末１１から送られた音声がスピーカーＳから発せられる。
また通信端末１１から写真などの画像や動画が送信された場合には、ディスプレイＤに表示される。
これに対して、要監視者は、リモコン３に設けられたマイク機能３２を通して音声をモニター用コントローラ２Ａの受信機能４に送信する。
またはマイク機能３４が使用できない場合には、ＴＶ装置２に設けられた集音マイク装置９で監視者の音声を受信し、通信装置７を介して監視者の通信端末１１にメッセージを送ることができる。
【００１８】
また、監視者の通信端末１１と接続されていない場合に、要監視者側から通信を行う場合には、リモコン３の呼び出し装置ボタン３１を投入する。
これにより、モニター用コントローラ２Ａの受信機能４が上記呼び出し装置ボタン３１の信号を受信すると、判定制御部５は、予めメモリーＭに記録した要監視者の通信端末１１の回線を呼び出して接続される。
【００１９】
そして、監視者がマイク機能３２に向かって音声を発すると、その音声が受信機能４に受信され通信装置７を介して通信端末１１に伝えられる。
監視者は通信端末１１を用いて音声や画像など送信すると、前述のようにＴＶ装置２のディスプレイＤやスピーカーＳを用いて再生されるので、監視者にとっては見やすく、聞き取りやすい。
【００２０】
また、通信端末１１を複数登録した場合に、その優先順位を設定しておけば、最初の最優先の通信端末１１の回線がつながらなくても、順次、次ぎの優先順序にあたる通信端末１１に回線がつながるようになり、好ましい。
【００２１】
また、要監視者の通信端末１１と回線が接続されない場合には、予め設定された地域の見回り監視者やボランティア、消防署などの最終監視員に見回り要請信号が送信され、これを受けた最終監視員が該当する要監視者の住居まで行って監視者の安否を確認することができるようにしてもよい。
【００２２】
上記のように、この発明では、第１段として、ＴＶ装置２の操作の有無から監視者の活動の有無を検出する。
一定時間操作が行われない場合には、第２段として人感センサー８が作動して、室内の人の動きや気配の有無を検出する。
一定時間内に人の動きが検出された場合には、監視者の通信端末１１に安全信号が送信される。
一定時間を超えても人の動きや気配が検出されない場合には、第３段として、監視者の通信端末１１に注意信号が送信される。
【００２３】
そこで、監視者は要監視者の安否を直接に音声などで確認を行う。
要監視者と連絡が取れない場合には、見回り監視者に通知が送られ、見回り監視者が最終監視者として直接に要監視者の住宅まで行って安否の確認を行う（図２（ａ）参照）。
ここで、見回り監視者や最終監視者は、監視者が行ってもよい。
通常、第１段から第３段までの手順は、順次、時系列に行う構成でもよいが、要監視者の判断によって、途中の手順をスキップして行ってもよい。
【００２４】
また、第１段階と同時に第２段階は同時に行うことができる（図２（ｂ）参照）。
リモコン３が操作されると、人感センサー８が同時に作動する。
人感センサー８の検出間隔は、常時でのよいし、予め選択した一定間隔であってもよい。
これにより、リモコン３の操作の確認と、人感センサー８による検出の有無の検出結果を同時に取得して、判定制御部５により監視者の安否や、正常か要注意かを判定してもよい。
【実施例２】
【００２５】
図３に示す実施例２の生活反応モニター装置１は、通常のＴＶ装置２とこれに付属し、または汎用性を有する一般のリモコン３を用いた構成からなる。
上記ＴＶ装置２には前記リモコン３の発する信号を受信する受光部２１を有している。
【００２６】
前記ＴＶ装置２に接続されたモニター用コントローラ２Ａには前記実施例１と同様にリモコン３の受信機能４が設けられており、受信機能４で受信したリモコンの信号の内容と日時をメモリーＭに記録すると共に、前記ＴＶ装置２の受光部２１に転送してＴＶ装置２を操作する構成となっている。
その他の構成は前記実施例１の構成に準じている。
【００２７】
また、監視者の通信端末１１はモニター用コントローラ２Ａに通信回線が有線または無線で接続され、通信端末１１から送信された音声は、はモニター用コントローラ２Ａに接続されたスピーカー３０ａから出力させることができる。
【００２８】
また、モニター用コントローラ２Ａにモニター３０ｂを接続しておき、前記通信端末１１から送信された画像や動画を表示しうるようにしてもよい。
また、ＴＶ装置２にテレビ電話機能がある場合には、前記通信端末１１から直接にテレビ電話に接続することも可能である。
その他の構成は前記実施例１と同様であるので、その説明を省略する。
【００２９】
この発明は上記各実施例に限定されるものではなく、その要旨を変更しない範囲で種々設計変更することができる。
【符号の説明】
【００３０】
１    生活反応モニター装置
２    ＴＶ装置
３    リモコン
４    リモコン受信機能
５    判定制御部
６    モニター送信機能
８    人感センサー
１１    通信端末
３０ａ  スピーカー
３０ｂ  モニター
３１    呼び出し装置ボタン
３２    マイク機能
Ｓ    スピーカー
Ｄ    ディスプレイ
【図１】
2018147057.tif 000003
【図２】
2018147057.tif 000004
【図３】
2018147057.tif 000005